(57)【要約】  コンテンツ表示システムＳでは、クライアント端末２の表示画面にページが表示されるときに、当該ページに配置されたコンテンツ表示領域のコンテンツのうち、表示画面内に表示されていない動的コンテンツを対象コンテンツとして特定し、ページの閲覧者の操作に応じて、表示画面内に表示されていない上記対象コンテンツの推定露出時間を決定し、当該対象コンテンツの特徴的な部分が推定露出時間内に表示されるように当該対象コンテンツの表示態様を制御する。
2017163373.tif 000002
【特許請求の範囲】
【請求項１】
動的に表示が変化する動的コンテンツを表示するための表示領域が配置されたページであって、当該ページの全領域のうち一部の領域が前記表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の操作に応じて前記対象コンテンツが前記表示画面内に表示されるものとして推定される推定露出時間を決定する決定手段と、
前記対象コンテンツの特徴的な部分が前記推定露出時間内に表示されるように表示態様を制御する表示制御手段と、
を備えることを特徴とする情報処理システム。
【請求項２】
前記決定手段は、前記閲覧者の操作に応じて前記ページが変移する速度と前記表示画面のサイズとに基づいて、前記推定露出時間を決定することを特徴とする請求項１に記載の情報処理システム。
【請求項３】
前記決定手段は、前記閲覧者の操作に応じて前記対象コンテンツとは異なる他のコンテンツが前記表示画面内に表示された継続時間を特定することで前記推定露出時間を決定することを特徴とする請求項１に記載の情報処理システム。
【請求項４】
前記閲覧者の嗜好情報に基づいて、前記対象コンテンツに対する当該閲覧者の興味度を算出する算出手段を更に備え、
前記決定手段は、前記閲覧者の前記対象コンテンツへの興味度が高いほど前記推定露出時間が短くなるように決定することを特徴とする請求項１乃至３の何れか一項に記載の情報処理システム。
【請求項５】
前記閲覧者の嗜好情報に基づいて、前記対象コンテンツよりも先に表示される他のコンテンツに対する当該閲覧者の興味度を算出する算出手段を更に備え、
前記決定手段は、前記興味度が相対的に高い前記他のコンテンツと前記対象コンテンツとの前記ページ上の位置が近いほど前記推定露出時間が短くなるように決定することを特徴とする請求項１乃至４の何れか一項に記載の情報処理システム。
【請求項６】
前記決定手段は、前記対象コンテンツと同時期に前記表示画面内に表示される他のコンテンツの数が多いほど前記推定露出時間が短くなるように決定することを特徴とする請求項１乃至５の何れか一項に記載の情報処理システム。
【請求項７】
前記対象コンテンツを構成する複数の画像うち、画像に表されるオブジェクトの変化量が相対的に大きい１つ以上の画像を当該対象コンテンツの特徴的な部分として決定する特徴部分決定手段を更に備えることを特徴とする請求項１乃至６の何れか一項に記載の情報処理システム。
【請求項８】
前記対象コンテンツを構成する複数の画像のうち、字幕が表される１つ以上の画像を当該対象コンテンツの特徴的な部分として決定する特徴部分決定手段を更に備えることを特徴とする請求項１乃至６の何れか一項に記載の情報処理システム。
【請求項９】
前記対象コンテンツを構成する複数の画像のうち、音声が出力されるタイミングに同期して表示される１つ以上の画像を当該対象コンテンツの特徴的な部分として決定する特徴部分決定手段を更に備えることを特徴とする請求項１乃至６の何れか一項に記載の情報処理システム。
【請求項１０】
前記対象コンテンツを構成する複数の画像のうち、当該対象コンテンツの提供者により任意に指定された１つ以上の画像を当該対象コンテンツの特徴的な部分として決定する特徴部分決定手段を更に備えることを特徴とする請求項１乃至６の何れか一項に記載の情報処理システム。
【請求項１１】
コンピュータにより実行される情報処理方法であって、
動的に表示が変化する動的コンテンツを表示するための表示領域が配置されたページであって、当該ページの全領域のうち一部の領域が前記表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、
前記閲覧者の操作に応じて前記対象コンテンツが前記表示画面内に表示されるものとして推定される推定露出時間を決定する決定ステップと、
前記対象コンテンツの特徴的な部分が前記推定露出時間内に表示されるように表示態様を制御する表示制御ステップと、
を含むことを特徴とする情報処理方法。
【請求項１２】
コンピュータを、
動的に表示が変化する動的コンテンツを表示するための表示領域が配置されたページであって、当該ページの全領域のうち一部の領域が前記表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の操作に応じて前記対象コンテンツが前記表示画面内に表示されるものとして推定される推定露出時間を決定する決定手段と、
前記対象コンテンツの特徴的な部分が前記推定露出時間内に表示されるように表示態様を制御する表示制御手段として機能させることを特徴とする情報処理プログラム。
【発明の詳細な説明】
【技術分野】
【０００１】
本発明は、Ｗｅｂサイトやアプリケーションにより提供されるコンテンツの表示制御等の技術分野に関する。
【背景技術】
【０００２】
従来から、Ｗｅｂサイトやアプリケーションにより提供されるコンテンツ（商品情報、ブログ、記事など）を表示する際に限られた表示領域に内でより多くのコンテンツの情報を提供するために、表示領域内でコンテンツを切り替えて提供可能なコンテンツ情報提供システムが知られている。特許文献１には、バナー広告表示手段に表示される広告を一定周期で切り替える技術について記載されている。特許文献２には、動画を描画する第１の領域がウェブブラウザ上で視認可能に表示されているか判定し、視認可能に表示されている場合に第１の領域に描画される動画が再生されるように制御する技術について記載されている。特許文献３には、動画像データを複数のシーンに分割して別途設定された所望の再生時間に基づいて選択されたシーンに基づいてダイジェスト動画を生成する技術について記載されている。
【先行技術文献】
【特許文献】
【０００３】
【特許文献１】特開2002-183214号公報
【特許文献２】特許5599960号
【特許文献３】特開2002-142189号公報
【発明の概要】
【発明が解決しようとする課題】
【０００４】
しかしながら、特許文献１の技術では、バナー広告表示手段が表示画面に表示されているか否かにかかわらず広告が切り替えられるため、閲覧者の操作によっては、動的に切り替えられる広告の優先的に表示すべき主要部分が表示画面内に表示されない可能性があるといった問題がある。特許文献２では、動画がウェブブラウザに入った時に表示させることは可能であるが、閲覧者の操作によっては動画がウェブブラウザから外れてしまうため、動画の優先的に表示すべき主要部分がウェブブラウザ上に表示されない可能性があるといった問題がある。特許文献３では、再生時間は閲覧者によって所望の時間が設定されるため動画像データを表示する表示領域が表示画面に表示される時間に対して再生時間が長い場合には動画像データの評価が高いシーンが表示画面に表示されない可能性がある一方、動画像データを表示する表示領域が表示画面に表示される時間に対して再生時間が短い場合には再生が終了してしまうか同じシーンが繰り返し再生されてしまうため動画像データを表示する表示領域を有効に活用する事ができないといった問題がある。【０００５】
本発明は、以上の点等に鑑みてなされたものであり、動的コンテンツの特徴的な部分の露出を担保しつつ、閲覧者の操作に応じて変化する表示領域の表示時間に柔軟に対応可能な情報処理システム、情報処理方法、及び情報処理プログラムを提供することを課題とする。
【課題を解決するための手段】
【０００６】
上記課題を解決するために、請求項１に記載の発明は、動的に表示が変化する動的コンテンツを表示するための表示領域が配置されたページであって、当該ページの全領域のうち一部の領域が前記表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の操作に応じて前記対象コンテンツが前記表示画面内に表示されるものとして推定される推定露出時間を決定する決定手段と、前記対象コンテンツの特徴的な部分が前記推定露出時間内に表示されるように表示態様を制御する表示制御手段と、を備えることを特徴とする。【０００７】
この発明によれば、動的コンテンツの特徴的な部分の露出を担保しつつ、閲覧者の操作に応じて変化する表示領域の表示時間に柔軟に対応することができる。【０００８】
請求項２に記載の発明は、請求項１に記載の情報処理システムにおいて、前記決定手段は、前記閲覧者の操作に応じて前記ページが変移する速度と前記表示画面のサイズとに基づいて、前記推定露出時間を決定することを特徴とする。【０００９】
この発明によれば、実際の露出時間に合った精度の高い推定露出時間を決定することができる。【００１０】
請求項３に記載の発明は、請求項１に記載の情報処理システムにおいて、前記決定手段は、前記閲覧者の操作に応じて前記対象コンテンツとは異なる他のコンテンツが前記表示画面内に表示された継続時間を特定することで前記推定露出時間を決定することを特徴とする。【００１１】
この発明によれば、実際の露出時間に合った精度の高い推定露出時間を決定することができる。【００１２】
請求項４に記載の発明は、請求項１乃至３の何れか一項に記載の情報処理システムにおいて、前記閲覧者の嗜好情報に基づいて、前記対象コンテンツに対する当該閲覧者の興味度を算出する算出手段を更に備え、前記決定手段は、前記閲覧者の前記対象コンテンツへの興味度が高いほど前記推定露出時間が短くなるように決定することを特徴とする。【００１３】
この発明によれば、より効果的な対象コンテンツの提示のための推定露出時間を決定することができる。【００１４】
請求項５に記載の発明は、請求項１乃至４の何れか一項に記載の情報処理システムにおいて、前記閲覧者の嗜好情報に基づいて、前記対象コンテンツよりも先に表示される他のコンテンツに対する当該閲覧者の興味度を算出する算出手段を更に備え、前記決定手段は、前記興味度が相対的に高い前記他のコンテンツと前記対象コンテンツとの前記ページ上の位置が近いほど前記推定露出時間が短くなるように決定することを特徴とする。【００１５】
この発明によれば、より効果的な対象コンテンツの提示のための推定露出時間を決定することができる。【００１６】
請求項６に記載の発明は、請求項１乃至５の何れか一項に記載の情報処理システムにおいて、前記決定手段は、前記対象コンテンツと同時期に前記表示画面内に表示される他のコンテンツの数が多いほど前記推定露出時間が短くなるように決定することを特徴とする。【００１７】
この発明によれば、より効果的な対象コンテンツの提示のための推定露出時間を決定することができる。【００１８】
請求項７に記載の発明は、請求項１乃至６の何れか一項に記載の情報処理システムにおいて、前記対象コンテンツを構成する複数の画像うち、画像に表されるオブジェクトの変化量が相対的に大きい１つ以上の画像を当該対象コンテンツの特徴的な部分として決定する特徴部分決定手段を更に備えることを特徴とする。【００１９】
この発明によれば、対象コンテンツの提供者の手間をかけずに、推定露出時間内に閲覧者に注目され易い特徴的な部分の対象コンテンツを提示することができる。【００２０】
請求項８に記載の発明は、請求項１乃至６の何れか一項に記載の情報処理システムにおいて、前記対象コンテンツを構成する複数の画像のうち、字幕が表される１つ以上の画像を当該対象コンテンツの特徴的な部分として決定する特徴部分決定手段を更に備えることを特徴とする。【００２１】
この発明によれば、対象コンテンツの提供者の手間をかけずに、推定露出時間内に閲覧者に注目され易い特徴的な部分の対象コンテンツを提示することができる。【００２２】
請求項９に記載の発明は、請求項１乃至６の何れか一項に記載の情報処理システムにおいて、前記対象コンテンツを構成する複数の画像のうち、音声が出力されるタイミングに同期して表示される１つ以上の画像を当該対象コンテンツの特徴的な部分として決定する特徴部分決定手段を更に備えることを特徴とする。【００２３】
この発明によれば、対象コンテンツの提供者の手間をかけずに、推定露出時間内に閲覧者に注目され易い特徴的な部分の対象コンテンツを提示することができる。【００２４】
請求項１０に記載の発明は、請求項１乃至６の何れか一項に記載の情報処理システムにおいて、前記対象コンテンツを構成する複数の画像のうち、当該対象コンテンツの提供者により任意に指定された１つ以上の画像を当該対象コンテンツの特徴的な部分として決定する特徴部分決定手段を更に備えることを特徴とする。【００２５】
この発明によれば、推定露出時間内に当該対象コンテンツの提供者の意図に沿った特徴的な部分の対象コンテンツを提示することができる。【００２６】
請求項１１に記載の発明は、コンピュータにより実行される情報処理方法であって、動的に表示が変化する動的コンテンツを表示するための表示領域が配置されたページであって、当該ページの全領域のうち一部の領域が前記表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、前記閲覧者の操作に応じて前記対象コンテンツが前記表示画面内に表示されるものとして推定される推定露出時間を決定する決定ステップと、前記対象コンテンツの特徴的な部分が前記推定露出時間内に表示されるように表示態様を制御する表示制御ステップと、を含むことを特徴とする。【００２７】
請求項１２に記載の発明は、コンピュータを、動的に表示が変化する動的コンテンツを表示するための表示領域が配置されたページであって、当該ページの全領域のうち一部の領域が前記表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の操作に応じて前記対象コンテンツが前記表示画面内に表示されるものとして推定される推定露出時間を決定する決定手段と、前記対象コンテンツの特徴的な部分が前記推定露出時間内に表示されるように表示態様を制御する表示制御手段として機能させることを特徴とする。
【発明の効果】
【００２８】
本発明によれば、動的コンテンツの特徴的な部分の露出を担保しつつ、閲覧者の操作に応じて変化する表示領域の表示時間に柔軟に対応することができる。
【図面の簡単な説明】
【００２９】
【図１】本実施形態に係るコンテンツ表示システムＳの概要構成例を示す図である。
【図２】（Ａ）は、本実施形態に係るコンテンツ提供サーバ１の概要構成例を示すブロック図であり、（Ｂ）は、本実施形態に係るクライアント端末２の概要構成例を示すブロック図であり、（Ｃ）は、システム制御部１４またはシステム制御部２６における機能ブロックの一例を示す図である。
【図３】ページがスクロールするときの当該ページと表示画面との関係の一例を示す図である。
【図４】対象コンテンツＣ５が表示されたときの表示画面例を示す図である。
【図５】特定された複数の再生区間に対応する特徴的な部分間にある画像がスキップされる場合の例を示す概念図である。
【図６】クライアント端末２のシステム制御部２６により実行されるコンテンツ表示処理の一例を示すフローチャートである。
【発明を実施するための形態】
【００３０】
以下、図面を参照して本発明の実施形態について説明する。なお、以下に説明する実施の形態は、コンテンツ表示システムに対して本発明を適用した場合の実施形態である。
【００３１】
［１．コンテンツ表示システムの構成及び機能概要］
先ず、本実施形態に係るコンテンツ表示システムＳの構成及び概要機能について、図１を用いて説明する。図１は、本実施形態に係るコンテンツ表示システムＳの概要構成例を示す図である。図１に示すように、コンテンツ表示システムＳは、コンテンツ提供サーバ１、クライアント端末２、及びユーザ情報管理サーバ３等を含んで構成される。コンテンツ表示システムＳは、本発明の情報処理システムの一例である。コンテンツ提供サーバ１、クライアント端末２、及びユーザ情報管理サーバ３は、ネットワークＮＷに接続される。ネットワークＮＷは、例えば、インターネット、専用通信回線（例えば、ＣＡＴＶ（Community Antenna Television）回線）、移動体通信網（基地局等を含む）、及びゲートウェイ等により構築される。なお、ユーザ情報管理サーバ３は、コンテンツ提供サーバ１に組み込まれてもよい。
【００３２】
コンテンツ提供サーバ１は、例えば、ショッピングサイト、オークションサイト、旅行予約サイト、宿泊予約サイト、施設利用予約サイト、ブログサイト、またはＳＮＳ（Social Networking Service）サイト等のＷｅｂサイトを提供するサーバである。なお、本実施形態では、コンテンツ提供サーバ１（Ｗｅｂサイト）からクライアント端末２へ提供されて表示されるページ（Ｗｅｂページ）を適用した場合を例にとって説明するが、クライアント端末２にインストールされるアプリケーションにより表示されるページを適用してもよい。また、Ｗｅｂサイトから提供されるページは、例えばＨＴＭＬ（Hyper Text Markup Language）文書やＸＨＴＭＬ文書等の構造化文書及び画像データ等により構成される。クライアント端末２は、ブラウザによりＷｅｂサイトのＵＲＬを指定することで、Ｗｅｂサイトから提供されたページをディスプレイ上に表れた表示画面に表示する。この表示画面は、例えばブラウザのウインドウ等のアクティブな表示領域（フレームともいう）を意味する。
【００３３】
このようなページには、動的に表示が変化する動的コンテンツを表示するための表示領域（以下、「コンテンツ表示領域」という）等の複数の領域が配置されている。１つのページにコンテンツ表示領域が複数配置される場合もある。なお、ページには、動的に表示が変化しない静的コンテンツを表示するためのコンテンツ表示領域が配置される場合もある。以下の説明において、動的コンテンツと静的コンテンツを総称してコンテンツという場合がある。コンテンツ表示領域には、それぞれに固有の領域ＩＤ（領域を識別する識別情報）が割り当てられている。動的コンテンツは、例えば複数の画像（画像フレームともいう）から構成される動画データを少なくとも含んで構成される。ここで、動画データには、一般的にビデオ撮影された動きのあるオブジェクト（人物や乗物等）を表すの複数の画像から構成される場合もあるし、複数のアニメーション画像から構成される場合もあるし、或いは、互いに関連しない複数の画像（１つ１つが独立した内容を表す広告画像等）から構成される場合もある。また、動的コンテンツは、動画データと、当該動画データの再生に同期して音声出力される音声データとから構成される場合もある。また、動的コンテンツは、動画データと、当該動画データの再生に同期して表示される字幕（文字列）を示すテキストデータとから構成される場合もある。さらに、動的コンテンツは、動画データと、音声データと、テキストデータとから構成される場合もある。また、動的コンテンツとして表示される情報には、例えばＷｅｂサイトの運営者やＷｅｂサイトの開設者（例えば、ブロガーのページ管理者）等により作成された取引対象となる商品等の紹介（例えば広告）や観光地の紹介等の情報が含まれるが、特に限定されるものではない。なお、動的コンテンツを含むコンテンツは、例えばコンテンツ提供サーバ１内に格納される。また、動的コンテンツを含むコンテンツには、例えば取引対象の詳細情報を提供するＷｅｂサイトや取引対象の注文手続を行うＷｅｂサイトへのリンク（ハイパーリンク）が設定される場合もある。また、ページのサイズ（ページの全領域の面積）は、クライアント端末２の表示画面のサイズより大きく（広く）なっている。このため、ページの全領域のうち一部の領域が表示画面内に表示され、且つ、ページの閲覧者の操作（例えば、スクロール操作、ページダウン操作、またはページアップ操作等）に応じて表示画面内に表示される領域が変移するようになっている。なお、ページの中には、当該ページで取り扱われる情報の分類や検索のために付与されたタグがＷｅｂページ中に埋め込まれているものも存在する。タグには、例えば、商品カテゴリ、時事（出来事）、及びジャンル等が含まれる。
【００３４】
ユーザ情報管理サーバ３は、クライアント端末２のユーザのユーザ情報を管理するサーバである。クライアント端末２のユーザは、Ｗｅｂサイトから提供されたページの閲覧者となる。ユーザ情報管理サーバ３は、ユーザのユーザＩＤ（ユーザを識別する識別情報）、パスワード、性別、年齢、嗜好情報、連絡先（電子メールアドレス等）、検索履歴、閲覧履歴、ブックマーク登録履歴、及び購入履歴等を含むユーザ情報を格納するユーザ情報データベースを備える。ユーザＩＤ及びパスワードは、ユーザがシステムにログインするために必要な認証情報である。嗜好情報の例として、例えばユーザが興味や関心のある商品カテゴリ、ユーザが興味や関心のある時事、及びユーザが興味や関心のあるジャンル（例えば、スポーツ、ビジネス、経済、芸術、技術等）が挙げられる。商品カテゴリは、商品を区分するためものであり、大別すると、例えば、家電、食品、ファッション、インテリア、書籍等に区分される。また、家電は、さらに、例えば、テレビ、オーディオ、パソコン、カメラ等に区分され、カメラは、さらに、例えば、一眼レフカメラ、コンパクトカメラ等に区分される。
【００３５】
ユーザの嗜好情報は、ユーザ情報管理サーバ３にアクセスしたクライアント端末２からの登録要求に応じてユーザ情報データベースに格納されてもよいし、所定のＷｅｂサイトを実施されたアンケート結果から取得されてもよい。或いは、ユーザの嗜好情報は、ユーザの検索履歴、閲覧履歴、ブックマーク登録履歴、及び購入履歴のうちの少なくとも何れか１つの履歴情報に基づいて特定され適宜のタイミングで更新されてもよい。なお、検索履歴には、１または複数のワードから構成される検索クエリ、及び検索日付（日付とは、例えば年月日、時刻を含んでもよい）等が対応付けられて含まれる。閲覧履歴には、ページに掲載される情報、及び閲覧日付等が対応付けられて含まれる。ページに掲載される情報には、例えば商品の商品カテゴリ、時事、または情報のジャンル等が含まれる。ブックマーク登録履歴には、ブックマーク登録された商品の名称や商品特定情報（例えば商品ＩＤや商品コード）、及びブックマーク登録日付等が対応付けられて含まれる。購入履歴には、購入された商品の名称や商品特定情報（例えば商品ＩＤや商品コード）、及び購入日付等が対応付けられて含まれる。これらの履歴情報は、ユーザＩＤをキーとして、コンテンツ提供サーバ１により提供されるＷｅｂサイトの他、検索サイト等の様々なＷｅｂサイトから所定のタイミングでユーザ情報管理サーバ３により取得され、ユーザ情報データベースに格納される。
【００３６】
図２（Ａ）は、本実施形態に係るコンテンツ提供サーバ１の概要構成例を示すブロック図である。図２（Ａ）に示すように、コンテンツ提供サーバ１は、通信部１１、記憶部１２、入出力インターフェース部１３、及びシステム制御部１４等を備える。システム制御部１４と入出力インターフェース部１３とは、システムバス１５を介して接続されている。通信部１１は、ネットワークＮＷに接続して通信状態の制御を行う。記憶部１２は、例えば、ハードディスクドライブ等からなり、オペレーティングシステム（Ｏ／Ｓ），及びサーバプログラム等の各種プログラムを記憶する。また、記憶部１２には、Ｗｅｂサイトに対応する記憶領域が設けられており、当該記憶領域には、ＷｅｂサイトのＵＲＬ、ページを構成する構造化文書等のデータ、及び当該ページに配置されたコンテンツ表示領域の情報が記憶されている。ここで、コンテンツ表示領域の情報には、当該コンテンツ表示領域の領域ＩＤ、及び当該コンテンツ表示領域に表示される動的コンテンツ等が含まれる。ページに複数のコンテンツ表示領域が配置された場合、それぞれのコンテンツ表示領域毎に、コンテンツ表示領域の情報が記憶される。なお、ページを構成する構造化文書等のデータ、及び当該ページに配置されたコンテンツ表示領域の情報等は、クライアント端末２からのページ要求に応じて、当該クライアント端末２へ送信されることになる。システム制御部１４は、ＣＰＵ（Central Processing Unit）１４ａ（プロセッサ），ＲＯＭ（Read Only Memory）１４ｂ，及びＲＡＭ（Random Access Memory）１４ｃ等を備え、後述する処理を実行する。
【００３７】
図２（Ｂ）は、本実施形態に係るクライアント端末２の概要構成例を示すブロック図である。図２（Ｂ）に示すように、クライアント端末２は、操作部２１、表示部２２、通信部２３、記憶部２４、入出力インターフェース部２５、及びシステム制御部２６等を備える。そして、システム制御部２６と入出力インターフェース部２５とは、システムバス２７を介して接続されている。操作部２１は、例えば、キーボード及びマウス等を備える。表示部２２は、上述したページを表示するための表示画面を有する。なお、操作部２１と表示部２２とを兼ねるタッチパネルが適用されてもよい。通信部２３は、ネットワークＮＷに接続して通信状態の制御を行う。記憶部２４は、例えば、ハードディスクドライブ等からなり、オペレーティングシステム（Ｏ／Ｓ），アプリケーション，及びブラウザ等の各種プログラムを記憶する。システム制御部２６は、ＣＰＵ２６ａ（プロセッサ），ＲＯＭ２６ｂ，及びＲＡＭ２６ｃ等を備え、後述する処理を実行する。なお、クライアント端末２には、例えば、パーソナルコンピュータ（ＰＣ）、携帯電話機、携帯情報端末 (ＰＤＡ：Personal Digital Assistant)、携帯電話機と携帯情報端末を融合させた携帯端末（Smartphone）、または携帯ゲーム機等の端末装置が適用可能である。
【００３８】
以上の構成において、コンピュータとしてのシステム制御部１４またはシステム制御部２６は、本発明の情報処理プログラムにしたがって、後述するコンテンツ表示処理を実行する。なお、情報処理プログラムは、所定のサーバ等からネットワークＮＷを介してダウンロードされて記憶部１２または記憶部２４に記憶される。或いは、情報処理プログラムは、ＣＤ（Compact Disc）、ＤＶＤ（Digital Versatile Disc）等の記録媒体に記録（コンピュータにより読み取り可能に記録）されており、当該記録媒体から読み込まれて記憶部１２または記憶部２４に記憶されるようにしてもよい。
【００３９】
図２（Ｃ）は、システム制御部１４またはシステム制御部２６における機能ブロックの一例を示す図である。上記コンテンツ表示処理において、システム制御部１４（システム制御部１４内のプロセッサ）またはシステム制御部２６（システム制御部２６内のプロセッサ）は、図２（Ｃ）に示すように、対象コンテンツ特定部１０１、推定露出時間決定部１０２、興味度算出部１０３、特徴部分決定部１０４、及び表示制御部１０５等として機能する。なお、対象コンテンツ特定部１０１は、本発明における特定手段の一例である。推定露出時間決定部１０２は、本発明における決定手段の一例である。興味度算出部１０３は、本発明における算出手段の一例である。特徴部分決定部１０４は、本発明における特徴部分決定手段の一例である。表示制御部１０５は、本発明における表示制御手段の一例である。
【００４０】
対象コンテンツ特定部１０１は、クライアント端末２の表示画面にページが表示されるときに、ページに配置されたコンテンツ表示領域のコンテンツのうち、表示画面内に表示されていない動的コンテンツを対象コンテンツとして特定する。表示画面内に表示されていない動的コンテンツが複数ある場合、それぞれの動的コンテンツが対象コンテンツとして特定されてもよいし、当該複数の動的コンテンツのうち何れか１つの動的コンテンツ（例えば表示画面内に最も早く表示される位置に配置される動的コンテンツ）が対象コンテンツとして特定されてもよい。
【００４１】
推定露出時間決定部１０２は、ページの閲覧者の操作（例えば、スクロール操作、ページダウン操作、またはページアップ操作等）に応じて、表示画面内に表示されていない上記対象コンテンツが当該表示画面内に表示されるものとして推定される推定露出時間を決定する。この推定露出時間は、現時点では表示画面内にまだ表示されていない対象コンテンツが表示画面内に現れてから（つまり、フレームインしてから）、当該表示画面外へ出る（消える）まで（つまり、フレームアウトするまでの）の推定時間長を示す。例えば、推定露出時間決定部１０２は、ページの閲覧者の操作に応じてページが変移する速度（例えば、スクロール速度等の変移速度）と表示画面のサイズ（つまり、スクロール方向等の変移方向における表示画面のサイズ）とに基づいて推定露出時間を決定する。これにより、実際の露出時間に合った精度の高い推定露出時間を決定することができる。
【００４２】
図３は、ページがスクロールするときの当該ページと表示画面との関係の一例を示す図である。図３の例では、ページにはコンテンツＣ１〜Ｃ１８が配置（それぞれのコンテンツ表示領域に配置）されており、このうち、コンテンツ（動的コンテンツ）Ｃ５が対象コンテンツとして特定されたものとする。図３（Ａ）の例では、対象コンテンツＣ５が表示画面内に表示されておらず、図３（Ｂ）の例（未来の時点）では、対象コンテンツＣ５が表示画面内に現れて表示され、図３（Ｃ）の例（未来の時点）では、対象コンテンツＣ５が表示画面外へ出ている。ここで、ページのスクロール速度（例えば平均値、最大値、または最小値でもよい）がＸｍｍ／秒であるとし、スクロール方向における表示画面のサイズ（図３の例では、縦サイズ）がＹｍｍであるとすると、推定露出時間は、表示画面のサイズＹをスクロール速度Ｘで割った値として算出される。このように、推定露出時間は、対象コンテンツＣ５が露出している間の積算量として捉えることができる。また、推定露出時間は、対象コンテンツＣ５に対する閲覧者の関心を維持することができる時間ということもできる。
【００４３】
なお、推定露出時間決定部１０２は、ページの閲覧者の操作に応じて対象コンテンツとは異なる他のコンテンツ（例えば、図３（Ａ）に示すコンテンツＣ２）が表示画面内に表示された継続時間を特定することで推定露出時間を決定してもよい。この継続時間は、当該他のコンテンツが表示画面内に実際に表示されていた時間（つまり、当該他のコンテンツが表示画面内に現れてから、当該表示画面外へ出るまでの計測時間長を示す。この決定方法によっても、実際の露出時間に合った精度の高い推定露出時間を決定することができる。なお、対象コンテンツとは異なる他のコンテンツは、対象コンテンツと関係性の高いコンテンツであるとよい。例えば、他のコンテンツの例として、対象コンテンツと共通または関連するキーワードを含むコンテンツ、対象コンテンツと共通または関連するタグを含むコンテンツ、対象コンテンツと共通または関連するカテゴリやジャンルに属するコンテンツなどが挙げられる。
【００４４】
また、推定露出時間決定部１０２は、ページの閲覧者の対象コンテンツへの興味度が高いほど上記推定露出時間が短くなるように決定してもよい。これにより、より効果的な対象コンテンツの提示のための推定露出時間を決定することができる。これは、閲覧者の対象コンテンツへの興味度が高いほど、短い推定露出時間内に対象コンテンツ（動的コンテンツ）の特徴的な部分の露出を担保する趣旨である。この結果、閲覧者に注目され易い（言い換えれば、一見して把握され易い）特徴的な部分の対象コンテンツを提示することが可能となる。この場合、興味度算出部１０３は、例えばユーザ情報管理サーバ３からページの閲覧者の嗜好情報を取得（当該閲覧者のユーザＩＤをキーとして取得）し、当該取得した嗜好情報に基づいて、対象コンテンツに対する当該閲覧者の興味度を算出する。例えば、興味度算出部１０３は、対象コンテンツに含まれる情報中に、閲覧者の嗜好情報が示す商品カテゴリ、時事、またはジャンルがあるかを検索し、検索によりヒットした数が高いほど当該閲覧者の興味度を高く算出する。例えば、当該ヒット数が０のときは興味度を１とし、当該ヒット数が１以上５未満のときは興味度を２とし、当該ヒット数が５以上１０未満のときは興味度を３として算出される。そして、この場合、推定露出時間決定部１０２は、例えば、興味度が高いほど小さくなる係数（例えば、興味度が１のときは係数は１、興味度が２のときは係数は０．９、興味度が３のときは係数は０．８）を、上記決定（仮決定）された推定露出時間に乗算することで当該推定露出時間を決定（つまり、補正して最終決定）する。
【００４５】
また、推定露出時間決定部１０２は、対象コンテンツよりも先に表示される他のコンテンツであって閲覧者の興味度が相対的に高い当該他のコンテンツと対象コンテンツとのページ上の位置が近い（距離が短い）ほど推定露出時間が短くなるように決定してもよい。これにより、より効果的な対象コンテンツの提示のための推定露出時間を決定することができる。これは、興味度が相対的に高い他のコンテンツと対象コンテンツとのページ上の位置が近いほど、短い推定露出時間内に対象コンテンツ（動的コンテンツ）の特徴的な部分の露出を担保する趣旨である。この結果、閲覧者の興味度が相対的に高い他のコンテンツが先に表示されても、閲覧者に注目され易い特徴的な部分の対象コンテンツを提示することが可能となる。この場合、興味度算出部１０３は、例えばユーザ情報管理サーバ３からページの閲覧者の嗜好情報を取得し、当該取得した嗜好情報に基づいて、対象コンテンツに対する当該閲覧者の興味度を算出し、且つ、当該対象コンテンツよりも先に表示される他のコンテンツに対する当該閲覧者の興味度を算出する。この場合の興味度の算出方法は上記と同様である。そして、推定露出時間決定部１０２は、例えば、当該他のコンテンツに対する閲覧者の興味度と、対象コンテンツに対する閲覧者の興味度とを比較し、当該他のコンテンツに対する閲覧者の興味度が対象コンテンツに対する閲覧者の興味度以上である（或いは高い）場合、当該他のコンテンツと対象コンテンツとのページ上の距離（例えばそれぞれのコンテンツ表示領域の中心座標間の距離）が近いほど小さくなる係数（例えば、距離が１未満のときは係数は０．８、距離が１以上２未満のときは係数は０．９、距離が２以上３未満のときは係数は１）を、上記決定された推定露出時間に乗算することで当該推定露出時間を決定（補正）する。
【００４６】
なお、対象コンテンツよりも先に表示される他のコンテンツが複数存在する場合、それぞれの他のコンテンツに対する当該閲覧者の興味度が算出され、複数の他のコンテンツの中で閲覧者の興味度が例えば最も高い他のコンテンツが選定される。この場合、推定露出時間決定部１０２は、選定された他のコンテンツに対する閲覧者の興味度と、対象コンテンツに対する閲覧者の興味度とを比較し、当該選定された他のコンテンツに対する閲覧者の興味度が対象コンテンツに対する閲覧者の興味度以上である（或いは高い）場合、当該選定された他のコンテンツと対象コンテンツとのページ上の距離が近いほど小さくなる係数を、上記決定された推定露出時間に乗算することで当該推定露出時間を決定（補正）する。或いは、対象コンテンツよりも先に表示される他のコンテンツが複数存在する場合、推定露出時間決定部１０２は、それぞれの他のコンテンツに対する閲覧者の興味度と、対象コンテンツに対する閲覧者の興味度とをそれぞれを比較し、他のコンテンツに対する閲覧者の興味度が対象コンテンツに対する閲覧者の興味度以上である（或いは高い）割合が所定割合（例えば、５０％）以上である場合、それらの他のコンテンツのページ上の距離が近い（つまり、当該複数の他のコンテンツの表示位置が固まっている）ほど、当該対象コンテンツの推定露出時間を短くするように決定（補正）してもよい。その他、表示位置が近い複数の他のコンテンツについて相対的な興味度の大小に応じて推定露出時間を補正するように構成してもよい。
【００４７】
また、閲覧者の興味度が高いか否かに関わらず、推定露出時間決定部１０２は、対象コンテンツと同時期に表示画面内に表示される他のコンテンツの数が多いほど、推定露出時間が短くなるように決定してもよい。これにより、より効果的な対象コンテンツの提示のための推定露出時間を決定することができる。これは、対象コンテンツと同時期に表示画面内に表示される他のコンテンツの数が多いほど、短い推定露出時間内に対象コンテンツ（動的コンテンツ）の特徴的な部分の露出を担保する趣旨である。この結果、表示された多くのコンテンツの中で、閲覧者に注目され易い特徴的な部分の対象コンテンツを提示することが可能となる。この場合、推定露出時間決定部１０２は、対象コンテンツを中心として所定範囲（例えば、表示画面のサイズに対応する範囲）内に位置（例えば、コンテンツ表示領域の中心座標が位置）する他のコンテンツの数を算出する。そして、推定露出時間決定部１０２は、算出した他のコンテンツの数が多いほど小さくなる係数（例えば、当該コンテンツの数が５未満のときは係数は１、当該コンテンツの数が５以上１０未満のときは係数は０．９、当該コンテンツの数が１０以上のときは係数は０．８）を、上記決定された推定露出時間に乗算することで当該推定露出時間を決定（補正）する。なお、推定露出時間決定部１０２は、対象コンテンツと同時期に表示画面内に表示される他のコンテンツのコンテンツ表示領域が大きいほど、対象コンテンツの推定露出時間が短くなるように決定してもよい。この場合、推定露出時間決定部１０２は、表示範囲に占める他のコンテンツのコンテンツ表示領域の割合を算出する。そして、推定露出時間決定部１０２は、算出したコンテンツ表示領域の割合が大きいほど小さくなる係数（例えば、当該割合が１０％未満のときは係数は１、当該割合が１０％以上３０％未満のときは係数は０．９、当該割合が４０％以上のときは係数は０．８）を、上記決定された推定露出時間に乗算することで当該推定露出時間を決定（補正）する。
【００４８】
特徴部分決定部１０４は、対象コンテンツから該対象コンテンツの特徴的な部分を決定する。例えば、対象コンテンツの特徴的な部分は、動的コンテンツの再生開始から再生終了までの再生時間の中の特定の再生区間（例えば、再生開始から１秒から４秒までの再生区間）において決定される。つまり、対象コンテンツの特徴的な部分は、当該対象コンテンツを構成する複数の画像（つまり、動画データを構成する画像）のうち、特定の再生区間に含まれる１つ以上の画像から決定される。なお、対象コンテンツの特徴的な部分は、動画のメインの部分（例えば起承転結の「結」などの山場部分）として予め指定されてもよいし、動的コンテンツが対象コンテンツとして特定される際に決定されてもよい。
【００４９】
例えば、特徴部分決定部１０４は、対象コンテンツを構成する複数の画像のうち、当該対象コンテンツの提供者により任意に指定された１つ以上の画像を当該対象コンテンツの特徴的な部分として決定する。これにより、推定露出時間内に当該対象コンテンツの提供者の意図に沿った特徴的な部分（例えば、山場部分）の対象コンテンツを提示することが可能となる。なお、当該対象コンテンツの提供者により任意に指定された１つ以上の画像の情報（例えばシリアル番号や再生位置）については、例えばページの構造化文書内に対象コンテンツが表示されるコンテンツ表示領域の領域ＩＤに記述される。
【００５０】
或いは、特徴部分決定部１０４は、対象コンテンツを構成する複数の画像うち、画像に表されるオブジェクト（人物や乗物等）の変化量が相対的に大きい１つ以上の画像を当該対象コンテンツの特徴的な部分として決定してもよい。これにより、対象コンテンツの提供者の手間をかけずに、推定露出時間内に閲覧者に注目され易い特徴的な部分の対象コンテンツを提示することが可能となる。ここで、上記オブジェクトは、ある画像において抽出され、当該抽出された画像より後に再生される画像において追跡される。特徴部分決定部１０４は、複数の画像において追跡されるオブジェクトを画するエッジの変化量とオブジェクト内の画素の変化量との少なくとも何れか一方の変化量を所定時間毎（または所定画像数毎）に算出し、その中で変化量が最も大きい複数の画像（言い換えれば、これらの画像が含まれる再生区間）を当該対象コンテンツの特徴的な部分として決定する。なお、動的コンテンツの再生時間において、変化量が最も大きい複数の画像を含む再生区間が複数箇所にある（つまり、各再生区間が連続しておらず間があいている）場合、特徴部分決定部１０４は、それぞれの再生区間に対応する特徴的な部分を特定する場合もある。
【００５１】
また、動的コンテンツが動画データと、当該動画データの再生に同期して表示される字幕を示すテキストデータとから構成される場合、特徴部分決定部１０４は、対象コンテンツを構成する複数の画像のうち、字幕が表される１つ以上の画像（字幕が表示されない画像は対象外となる）を当該対象コンテンツの特徴的な部分として決定してもよい。これにより、対象コンテンツの提供者の手間をかけずに、推定露出時間内に閲覧者に注目され易い特徴的な部分の対象コンテンツを提示することが可能となる。
【００５２】
また、動的コンテンツが動画データと、当該動画データの再生に同期して音声出力される音声データとから構成される場合、特徴部分決定部１０４は、対象コンテンツを構成する複数の画像のうち、例えば閾値以上の音圧レベルの音声が出力されるタイミングに同期して表示される１つ以上の画像（例えば音圧レベルが閾値未満のときの画像は対象外となる）を当該対象コンテンツの特徴的な部分として決定してもよい。これにより、対象コンテンツの提供者の手間をかけずに、推定露出時間内に閲覧者に注目され易い特徴的な部分の対象コンテンツを提示することが可能となる。
【００５３】
表示制御部１０５は、例えばページの閲覧者の操作に応じて、または当該ページの閲覧者の操作をトリガとするページの自動スクロールに応じて、対象コンテンツの特徴的な部分が推定露出時間内に表示（表示画面内に表示）されるように当該対象コンテンツの表示態様を制御（言い換えれば、動画の再生開始位置を制御）する。例えば、表示制御部１０５は、対象コンテンツの再生時間と推定露出時間とを比較し、推定露出時間より再生時間が短い場合、対象コンテンツの再生時間において、特徴的な部分を含む再生区間で、且つ、当該推定露出時間に対応する再生区間（ここで、推定露出時間の時間長と再生区間の時間長とは必ずしも一致しなくてもよく、この時間長の差が閾値以下であればよい）を特定し、特定した再生区間の開始位置（動画の再生開始位置）から動画の再生を開始させる。
【００５４】
図４は、対象コンテンツＣ５が表示されたときの表示画面例を示す図である。なお、図４に示す対象コンテンツＣ５の再生時間（動画の再生時間）は１０秒であるものとする。図４（Ａ）の例は、推定露出時間決定部１０２により決定された推定露出時間が１０秒のときの対象コンテンツＣ５の表示例を示している。この場合、対象コンテンツＣ５の再生時間が１０秒であるのに対し、推定露出時間が１０秒と同等のため、対象コンテンツＣ５の再生開始位置（つまり、対象コンテンツＣ５の全部または一部が表示画面内に現れた時の再生開始位置）は、最初の画像１（通常の再生位置）からになっている。一方、図４（Ｂ）の例は、推定露出時間決定部１０２により決定された推定露出時間が２秒のときの対象コンテンツＣ５の表示例を示している。この場合、対象コンテンツＣ５の再生時間が１０秒であるのに対し、推定露出時間が２秒と短いので、対象コンテンツＣ５の特徴的な部分（例えば、この再生区間は２秒程度）が推定露出時間２秒以内に表示されるように、対象コンテンツＣ５の再生開始位置が画像６からになっている。つまり、この場合、対象コンテンツＣ５の全部または一部が表示画面内に現れた時、画像１〜５はスキップされて画像６から表示されることになる。これにより、動的コンテンツの特徴的な部分の露出を担保しつつ、閲覧者の操作に応じて変化する表示領域の表示時間に柔軟に対応することができる。
【００５５】
なお、特徴部分決定部１０４により複数の再生区間に対応する特徴的な部分が特定された場合、表示制御部１０５は、対象コンテンツの複数の再生区間に対応する特徴的な部分が推定露出時間内に表示されるように、特定された再生区間と再生区間との間にある画像をスキップされて対象コンテンツの表示態様を制御してもよい。図５は、特定された複数の再生区間に対応する特徴的な部分間にある画像がスキップされる場合の例を示す概念図である。図５の例では、特徴的な部分１と特徴的な部分２とが特定されており、特徴的な部分１と特徴的な部分２との間がスキップ区間とされ、このスキップ区間に含まれる画像１０〜１２は表示対象から除外されることになる。すなわち、図５の例では、対象コンテンツの全部または一部が表示画面内に現れた時、画像１〜５はスキップされて画像６〜９が表示され、画像１０〜１２はスキップされて画像１３〜１５が表示されることになる。
【００５６】
［２．コンテンツ表示システムＳの動作］
次に、図６を参照して、本実施形態に係るコンテンツ表示システムＳの動作について説明する。図６は、クライアント端末２のシステム制御部２６により実行されるコンテンツ表示処理の一例を示すフローチャートである。なお、システム制御部２６により実行されるコンテンツ表示処理は、例えば、ページの構造化文書内に記述されたプログラム（スクリプト）にしたがって行われる。クライアント端末２のシステム制御部２６は、ページの閲覧者の操作によりブラウザで指定されたＷｅｂサイトのＵＲＬに従ってコンテンツ提供サーバ１へアクセスしてページ要求を送信すると、当該コンテンツ提供サーバ１（当該Ｗｅｂサイト）からクライアント端末２へページが提供される。
【００５７】
クライアント端末２のシステム制御部２６は、コンテンツ提供サーバ１からのページを取得すると、図６に示すコンテンツ表示処理を開始する。なお、クライアント端末２からコンテンツ提供サーバ１へのログイン要求により、クライアント端末２のユーザ（つまり、ページの閲覧者）のログインがなされた後に、図６に示すコンテンツ表示処理が開始されてもよい。図６に示す処理が開始されると、システム制御部２６は、取得されたページをディスプレイ上に表れた表示画面に表示する（ステップＳ１）。
【００５８】
次いで、システム制御部２６（対象コンテンツ特定部１０１）は、ページに配置されたコンテンツ表示領域のコンテンツのうち、表示画面内に表示されていない動的コンテンツを対象コンテンツとして特定する（ステップＳ２）。このとき、表示画面内に表示されていない動的コンテンツが複数ある場合、複数の対象コンテンツが特定されてもよいが図６の例では、１つの特定コンテンツが特定されるものとする。なお、システム制御部２６は、表示画面内に表示されているページの範囲（例えば座標）を示す情報をコンテンツ提供サーバ１へ送信することで、コンテンツ提供サーバ１のシステム制御部１４が、ページに配置されたコンテンツ表示領域のコンテンツのうち表示画面内に表示されていない動的コンテンツを対象コンテンツとして特定してもよい。
【００５９】
次いで、システム制御部２６（特徴部分決定部１０４）は、ステップＳ２で特定された対象コンテンツから、上述したように、当該対象コンテンツの特徴的な部分を決定する（ステップＳ３）。次いで、システム制御部２６は、閲覧者によりページを変移させる操作があったか否かを判定する（ステップＳ４）。システム制御部２６は、閲覧者によりページを変移させる操作がないと判定した場合（ステップＳ４：ＮＯ）、処理をステップＳ５へ進める。一方、システム制御部２６は、閲覧者によりページを変移させる操作があったと判定した場合（ステップＳ４：ＹＥＳ）、処理をステップＳ６へ進める。
【００６０】
ステップＳ５では、システム制御部２６は、閲覧者によりページの表示を終了させる操作があったか否かを判定する。システム制御部２６は、閲覧者によりページの表示を終了させる操作があったと判定した場合（ステップＳ５：ＹＥＳ）、コンテンツ表示処理を終了する。一方、システム制御部２６は、閲覧者によりページの表示を終了させる操作がないと判定した場合（ステップＳ５：ＮＯ）、処理をステップＳ４に戻す。ステップＳ６では、システム制御部２６は、ページを変移させる操作に応じてページの変移（例えば、スクロール）を開始する。
【００６１】
次いで、システム制御部２６（推定露出時間決定部１０２）は、閲覧者の操作に応じて、上述したように、表示画面内に表示されていない上記対象コンテンツが当該表示画面内に表示されるものとして推定される推定露出時間を決定する（ステップＳ７）。このとき、閲覧者がログインしている場合、システム制御部２６（興味度算出部１０３）は、当該閲覧者のユーザＩＤをキーとして、ユーザ情報管理サーバ３から当該閲覧者の嗜好情報を取得し、当該取得した嗜好情報に基づいて、上述したように、当該対象コンテンツに対する当該閲覧者の興味度を算出してもよい。この場合、システム制御部２６（推定露出時間決定部１０２）は、上述したように、例えば閲覧者の当該対象コンテンツへの興味度が高いほど当該推定露出時間を補正したり、或いは当該対象コンテンツよりも先に表示される他のコンテンツであって閲覧者の興味度が相対的に高い当該他のコンテンツと当該対象コンテンツとのページ上の位置が近いほど当該推定露出時間が短くなるように補正する。なお、コンテンツ提供サーバ１のシステム制御部１４が、当該推定露出時間を決定してもよい。
【００６２】
次いで、システム制御部２６は、上記対象コンテンツが表示画面内に入ったか（表示されたか）否かを判定する（ステップＳ８）。システム制御部２６は、対象コンテンツが表示画面内に入ったと判定した場合（ステップＳ８：ＹＥＳ）、処理をステップＳ９に進める。一方、システム制御部２６は、対象コンテンツが表示画面内に入っていないと判定した場合（ステップＳ８：ＮＯ）、処理をステップＳ１０に進める。
【００６３】
ステップＳ９では、システム制御部２６は、ページの変移が終了したか否かを判定する。システム制御部２６は、ページの変移が終了していないと判定した場合（ステップＳ９：ＮＯ）、処理をステップＳ８に戻す。一方、システム制御部２６は、ページの変移が終了したと判定した場合（ステップＳ９：ＹＥＳ）、処理をステップＳ２に戻す。
【００６４】
ステップＳ１０では、システム制御部２６（表示制御部１０５）は、上述したように、上記対象コンテンツの特徴的な部分が推定露出時間内に表示されるように当該対象コンテンツの表示態様を制御する（例えば、対象コンテンツの途中の再生位置から再生を開始させて当該対象コンテンツを表示させる）。なお、コンテンツ提供サーバ１のシステム制御部１４が、上記対象コンテンツの特徴的な部分が推定露出時間内に表示されるように当該対象コンテンツの表示態様を制御してもよい（例えば、システム制御部２６のブラウザに対象コンテンツの再生開始位置の指定データを送信することで対象コンテンツの途中の再生位置から再生開始させる）。
【００６５】
次いで、システム制御部２６は、上記対象コンテンツが表示画面外へ出たか（消去されたか）否かを判定する（ステップＳ１１）。システム制御部２６は、対象コンテンツが表示画面外へ出ていないと判定した場合（ステップＳ１１：ＮＯ）、処理をステップＳ１２に進める。一方、システム制御部２６は、上記対象コンテンツが表示画面外へ出たと判定した場合（ステップＳ１１：ＹＥＳ）、当該対象コンテンツの表示態様の制御を終了し、処理をステップＳ１３に進める。
【００６６】
ステップＳ１２では、システム制御部２６は、ページの変移が終了したか否かを判定する。システム制御部２６は、ページの変移が終了していないと判定した場合（ステップＳ１２：ＮＯ）、処理をステップＳ１０に戻し、上記対象コンテンツの表示態様の制御を継続する。例えば、対象コンテンツの再生を継続させ、上述したように、対象コンテンツ中にスキップ区間がある場合、スキップ区間に含まれる画像を除外して対象コンテンツ中の画像を表示画面内に表示させる。一方、システム制御部２６は、ページの変移が終了したと判定した場合（ステップＳ１２：ＹＥＳ）、処理をステップＳ２に戻す。
【００６７】
ステップＳ１３では、システム制御部２６は、ページの変移が終了したか否かを判定する。システム制御部２６は、ページの変移が終了していないと判定した場合（ステップＳ１３：ＮＯ）、処理をステップＳ１３に戻す。一方、システム制御部２６は、ページの変移が終了したと判定した場合（ステップＳ１３：ＹＥＳ）、処理をステップＳ２に戻す。
【００６８】
以上説明したように、上記実施形態によれば、コンテンツ表示システムＳでは、クライアント端末２の表示画面にページが表示されるときに、当該ページに配置されたコンテンツ表示領域のコンテンツのうち、表示画面内に表示されていない動的コンテンツを対象コンテンツとして特定し、ページの閲覧者の操作に応じて、表示画面内に表示されていない上記対象コンテンツの推定露出時間を決定し、当該対象コンテンツの特徴的な部分が推定露出時間内に表示されるように当該対象コンテンツの表示態様を制御するように構成したので、動的コンテンツの特徴的な部分の露出を担保しつつ、閲覧者の操作に応じて変化する表示領域の表示時間に柔軟に対応することができる。
【符号の説明】
【００６９】
１  コンテンツ提供サーバ
２  クライアント端末
３  ユーザ情報管理サーバ
１１  通信部
１２  記憶部
１３  入出力インターフェース部
１４  システム制御部
１５  システムバス
２１  操作部
２２  表示部
２３  通信部
２４  記憶部
２５  入出力インターフェース部
２６  システム制御部
２７  システムバス
１０１  対象コンテンツ特定部
１０２  推定露出時間決定部
１０３  興味度算出部
１０４  特徴部分決定部
１０４  表示制御部
ＮＷ  ネットワーク
Ｓ  コンテンツ表示システム
【図１】
2017163373.tif 000003
【図２】
2017163373.tif 000004
【図３】
2017163373.tif 000005
【図４】
2017163373.tif 000006
【図５】
2017163373.tif 000007
【図６】
2017163373.tif 000008
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の操作に応じて前記対象コンテンツが前記表示画面内に表示されるものとして推定される推定露出時間を決定する決定手段と、
前記対象コンテンツの特徴的な部分を決定する特徴部分決定手段と、
前記特徴部分決定手段により決定された前記特徴的な部分が前記推定露出時間内に表示されるように表示態様を制御する表示制御手段と、
を備えることを特徴とする情報処理システム。
【請求項２】
前記決定手段は、前記閲覧者の操作に応じて前記ページが変移する速度と前記表示画面のサイズとに基づいて、前記推定露出時間を決定することを特徴とする請求項１に記載の情報処理システム。
【請求項３】
前記決定手段は、前記閲覧者の操作に応じて前記対象コンテンツとは異なる他のコンテンツが前記表示画面内に表示された継続時間を特定することで前記推定露出時間を決定することを特徴とする請求項１に記載の情報処理システム。
【請求項４】
前記閲覧者の嗜好情報に基づいて、前記対象コンテンツに対する当該閲覧者の興味度を算出する算出手段を更に備え、
前記決定手段は、前記閲覧者の前記対象コンテンツへの興味度が高いほど前記推定露出時間が短くなるように決定することを特徴とする請求項１乃至３の何れか一項に記載の情報処理システム。
【請求項５】
前記閲覧者の嗜好情報に基づいて、前記対象コンテンツよりも先に表示される他のコンテンツに対する当該閲覧者の興味度を算出する算出手段を更に備え、
前記決定手段は、前記興味度が相対的に高い前記他のコンテンツと前記対象コンテンツとの前記ページ上の位置が近いほど前記推定露出時間が短くなるように決定することを特徴とする請求項１乃至４の何れか一項に記載の情報処理システム。
【請求項６】
前記決定手段は、前記対象コンテンツと同時期に前記表示画面内に表示される他のコンテンツの数が多いほど前記推定露出時間が短くなるように決定することを特徴とする請求項１乃至５の何れか一項に記載の情報処理システム。
【請求項７】
前記特徴部分決定手段は、前記対象コンテンツを構成する複数の画像のうち、画像に表されるオブジェクトの変化量が相対的に大きい１つ以上の画像を当該対象コンテンツの特徴的な部分として決定することを特徴とする請求項１乃至６の何れか一項に記載の情報処理システム。
【請求項８】
前記特徴部分決定手段は、前記対象コンテンツを構成する複数の画像のうち、字幕が表される１つ以上の画像を当該対象コンテンツの特徴的な部分として決定することを特徴とする請求項１乃至６の何れか一項に記載の情報処理システム。
【請求項９】
前記特徴部分決定手段は、前記対象コンテンツを構成する複数の画像のうち、音声が出力されるタイミングに同期して表示される１つ以上の画像を当該対象コンテンツの特徴的な部分として決定することを特徴とする請求項１乃至６の何れか一項に記載の情報処理システム。
【請求項１０】
前記特徴部分決定手段は、前記対象コンテンツを構成する複数の画像のうち、当該対象コンテンツの提供者により任意に指定された１つ以上の画像を当該対象コンテンツの特徴的な部分として決定することを特徴とする請求項１乃至６の何れか一項に記載の情報処理システム。
【請求項１１】
コンピュータにより実行される情報処理方法であって、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、
前記閲覧者の操作に応じて前記対象コンテンツが前記表示画面内に表示されるものとして推定される推定露出時間を決定する決定ステップと、
前記対象コンテンツの特徴的な部分を決定する特徴部分決定ステップと、
前記特徴部分決定ステップにより決定された前記対象コンテンツの特徴的な部分が前記推定露出時間内に表示されるように表示態様を制御する表示制御ステップと、
を含むことを特徴とする情報処理方法。
【請求項１２】
コンピュータを、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の操作に応じて前記対象コンテンツが前記表示画面内に表示されるものとして推定される推定露出時間を決定する決定手段と、
前記対象コンテンツの特徴的な部分を決定する特徴部分決定手段と、
前記特徴部分決定手段により決定された前記対象コンテンツの特徴的な部分が前記推定露出時間内に表示されるように表示態様を制御する表示制御手段として機能させることを特徴とする情報処理プログラム。
【手続補正２】
【補正対象書類名】明細書
【補正対象項目名】０００６
【補正方法】変更
【補正の内容】
【０００６】
上記課題を解決するために、請求項１に記載の発明は、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の操作に応じて前記対象コンテンツが前記表示画面内に表示されるものとして推定される推定露出時間を決定する決定手段と、前記対象コンテンツの特徴的な部分を決定する特徴部分決定手段と、前記特徴部分決定手段により決定された前記対象コンテンツの特徴的な部分が前記推定露出時間内に表示されるように表示態様を制御する表示制御手段と、を備えることを特徴とする。
【手続補正３】
【補正対象書類名】明細書
【補正対象項目名】００１８
【補正方法】変更
【補正の内容】
【００１８】
請求項７に記載の発明は、請求項１乃至６の何れか一項に記載の情報処理システムにおいて、前記特徴部分決定手段は、前記対象コンテンツを構成する複数の画像のうち、画像に表されるオブジェクトの変化量が相対的に大きい１つ以上の画像を当該対象コンテンツの特徴的な部分として決定することを特徴とする。
【手続補正４】
【補正対象書類名】明細書
【補正対象項目名】００２０
【補正方法】変更
【補正の内容】
【００２０】
請求項８に記載の発明は、請求項１乃至６の何れか一項に記載の情報処理システムにおいて、前記特徴部分決定手段は、前記対象コンテンツを構成する複数の画像のうち、字幕が表される１つ以上の画像を当該対象コンテンツの特徴的な部分として決定することを特徴とする。
【手続補正５】
【補正対象書類名】明細書
【補正対象項目名】００２２
【補正方法】変更
【補正の内容】
【００２２】
請求項９に記載の発明は、請求項１乃至６の何れか一項に記載の情報処理システムにおいて、前記特徴部分決定手段は、前記対象コンテンツを構成する複数の画像のうち、音声が出力されるタイミングに同期して表示される１つ以上の画像を当該対象コンテンツの特徴的な部分として決定することを特徴とする。
【手続補正６】
【補正対象書類名】明細書
【補正対象項目名】００２４
【補正方法】変更
【補正の内容】
【００２４】
請求項１０に記載の発明は、請求項１乃至６の何れか一項に記載の情報処理システムにおいて、前記特徴部分決定手段は、前記対象コンテンツを構成する複数の画像のうち、当該対象コンテンツの提供者により任意に指定された１つ以上の画像を当該対象コンテンツの特徴的な部分として決定することを特徴とする。
【手続補正７】
【補正対象書類名】明細書
【補正対象項目名】００２６
【補正方法】変更
【補正の内容】
【００２６】
請求項１１に記載の発明は、コンピュータにより実行される情報処理方法であって、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、前記閲覧者の操作に応じて前記対象コンテンツが前記表示画面内に表示されるものとして推定される推定露出時間を決定する決定ステップと、前記対象コンテンツの特徴的な部分を決定する特徴部分決定ステップと、前記特徴部分決定ステップにより決定された前記対象コンテンツの特徴的な部分が前記推定露出時間内に表示されるように表示態様を制御する表示制御ステップと、を含むことを特徴とする。
【手続補正８】
【補正対象書類名】明細書
【補正対象項目名】００２７
【補正方法】変更
【補正の内容】
【００２７】
請求項１２に記載の発明は、コンピュータを、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の操作に応じて前記対象コンテンツが前記表示画面内に表示されるものとして推定される推定露出時間を決定する決定手段と、前記対象コンテンツの特徴的な部分を決定する特徴部分決定手段と、前記特徴部分決定手段により決定された前記対象コンテンツの特徴的な部分が前記推定露出時間内に表示されるように表示態様を制御する表示制御手段として機能させることを特徴とする。
【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の操作に応じて前記対象コンテンツとは異なる他のコンテンツが前記表示画面内に表示された継続時間を特定することで、前記対象コンテンツの推定露出時間を決定する決定手段と、
前記対象コンテンツの特徴的な部分を決定する特徴部分決定手段と、
前記特徴部分決定手段により決定された前記特徴的な部分が前記推定露出時間内に表示されるように表示態様を制御する表示制御手段と、
を備えることを特徴とする情報処理システム。
【請求項２】
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の嗜好情報に基づいて、前記対象コンテンツに対する当該閲覧者の興味度を算出する算出手段と、
前記閲覧者の前記対象コンテンツへの興味度が高いほど、前記対象コンテンツの推定露出時間を短く決定する決定手段と、
前記対象コンテンツの特徴的な部分を決定する特徴部分決定手段と、
前記特徴部分決定手段により決定された前記特徴的な部分が前記推定露出時間内に表示されるように表示態様を制御する表示制御手段と、
を備えることを特徴とする情報処理システム。
【請求項３】
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の嗜好情報に基づいて、前記対象コンテンツよりも先に表示される他のコンテンツに対する当該閲覧者の興味度を算出する算出手段と、
前記興味度が相対的に高い前記他のコンテンツと前記対象コンテンツとの前記ページ上の位置が近いほど、前記対象コンテンツの推定露出時間を短く決定する決定手段と、
前記対象コンテンツの特徴的な部分を決定する特徴部分決定手段と、
前記特徴部分決定手段により決定された前記特徴的な部分が前記推定露出時間内に表示されるように表示態様を制御する表示制御手段と、
を備えることを特徴とする情報処理システム。
【請求項４】
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記対象コンテンツと同時期に前記表示画面内に表示される他のコンテンツの数が多いほど、前記対象コンテンツの推定露出時間を短く決定する決定手段と、
前記対象コンテンツの特徴的な部分を決定する特徴部分決定手段と、
前記特徴部分決定手段により決定された前記特徴的な部分が前記推定露出時間内に表示されるように表示態様を制御する表示制御手段と、
を備えることを特徴とする情報処理システム。
【請求項５】
コンピュータにより実行される情報処理方法であって、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、
前記閲覧者の操作に応じて前記対象コンテンツとは異なる他のコンテンツが前記表示画面内に表示された継続時間を特定することで、前記対象コンテンツの推定露出時間を決定する決定ステップと、
前記対象コンテンツの特徴的な部分を決定する特徴部分決定ステップと、
前記特徴部分決定ステップにより決定された前記対象コンテンツの特徴的な部分が前記推定露出時間内に表示されるように表示態様を制御する表示制御ステップと、
を含むことを特徴とする情報処理方法。
【請求項６】
コンピュータにより実行される情報処理方法であって、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、
前記閲覧者の嗜好情報に基づいて、前記対象コンテンツに対する当該閲覧者の興味度を算出する算出ステップと、
前記閲覧者の前記対象コンテンツへの興味度が高いほど、前記対象コンテンツの推定露出時間を短く決定する決定ステップと、
前記対象コンテンツの特徴的な部分を決定する特徴部分決定ステップと、
前記特徴部分決定ステップにより決定された前記対象コンテンツの特徴的な部分が前記推定露出時間内に表示されるように表示態様を制御する表示制御ステップと、
を含むことを特徴とする情報処理方法。
【請求項７】
コンピュータにより実行される情報処理方法であって、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、
前記閲覧者の嗜好情報に基づいて、前記対象コンテンツよりも先に表示される他のコンテンツに対する当該閲覧者の興味度を算出する算出ステップと、
前記興味度が相対的に高い前記他のコンテンツと前記対象コンテンツとの前記ページ上の位置が近いほど、前記対象コンテンツの推定露出時間を短く決定する決定ステップと、
前記対象コンテンツの特徴的な部分を決定する特徴部分決定ステップと、
前記特徴部分決定ステップにより決定された前記対象コンテンツの特徴的な部分が前記推定露出時間内に表示されるように表示態様を制御する表示制御ステップと、
を含むことを特徴とする情報処理方法。
【請求項８】
コンピュータにより実行される情報処理方法であって、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、
前記対象コンテンツと同時期に前記表示画面内に表示される他のコンテンツの数が多いほど、前記対象コンテンツの推定露出時間を短く決定する決定ステップと、
前記対象コンテンツの特徴的な部分を決定する特徴部分決定ステップと、
前記特徴部分決定ステップにより決定された前記対象コンテンツの特徴的な部分が前記推定露出時間内に表示されるように表示態様を制御する表示制御ステップと、
を含むことを特徴とする情報処理方法。
【請求項９】
コンピュータを、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の操作に応じて前記対象コンテンツとは異なる他のコンテンツが前記表示画面内に表示された継続時間を特定することで、前記対象コンテンツの推定露出時間を決定する決定手段と、
前記対象コンテンツの特徴的な部分を決定する特徴部分決定手段と、
前記特徴部分決定手段により決定された前記対象コンテンツの特徴的な部分が前記推定露出時間内に表示されるように表示態様を制御する表示制御手段として機能させることを特徴とする情報処理プログラム。
【請求項１０】
コンピュータを、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の嗜好情報に基づいて、前記対象コンテンツに対する当該閲覧者の興味度を算出する算出手段と、
前記閲覧者の前記対象コンテンツへの興味度が高いほど、前記対象コンテンツの推定露出時間を短く決定する決定手段と、
前記対象コンテンツの特徴的な部分を決定する特徴部分決定手段と、
前記特徴部分決定手段により決定された前記対象コンテンツの特徴的な部分が前記推定露出時間内に表示されるように表示態様を制御する表示制御手段として機能させることを特徴とする情報処理プログラム。
【請求項１１】
コンピュータを、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記閲覧者の嗜好情報に基づいて、前記対象コンテンツよりも先に表示される他のコンテンツに対する当該閲覧者の興味度を算出する算出手段と、
前記興味度が相対的に高い前記他のコンテンツと前記対象コンテンツとの前記ページ上の位置が近いほど、前記対象コンテンツの推定露出時間を短く決定する決定手段と、
前記対象コンテンツの特徴的な部分を決定する特徴部分決定手段と、
前記特徴部分決定手段により決定された前記対象コンテンツの特徴的な部分が前記推定露出時間内に表示されるように表示態様を制御する表示制御手段として機能させることを特徴とする情報処理プログラム。
【請求項１２】
コンピュータを、
動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、
前記対象コンテンツと同時期に前記表示画面内に表示される他のコンテンツの数が多いほど、前記対象コンテンツの推定露出時間を短く決定する決定手段と、
前記対象コンテンツの特徴的な部分を決定する特徴部分決定手段と、
前記特徴部分決定手段により決定された前記対象コンテンツの特徴的な部分が前記推定露出時間内に表示されるように表示態様を制御する表示制御手段として機能させることを特徴とする情報処理プログラム。
【手続補正２】
【補正対象書類名】明細書
【補正対象項目名】０００６
【補正方法】変更
【補正の内容】
【０００６】
上記課題を解決するために、請求項１に記載の発明は、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の操作に応じて前記対象コンテンツとは異なる他のコンテンツが前記表示画面内に表示された継続時間を特定することで、前記対象コンテンツの推定露出時間を決定する決定手段と、前記対象コンテンツの特徴的な部分を決定する特徴部分決定手段と、前記特徴部分決定手段により決定された前記特徴的な部分が前記推定露出時間内に表示されるように表示態様を制御する表示制御手段と、を備えることを特徴とする。
【手続補正３】
【補正対象書類名】明細書
【補正対象項目名】０００８
【補正方法】変更
【補正の内容】
【０００８】
請求項２に記載の発明は、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の嗜好情報に基づいて、前記対象コンテンツに対する当該閲覧者の興味度を算出する算出手段と、前記閲覧者の前記対象コンテンツへの興味度が高いほど、前記対象コンテンツの推定露出時間を短く決定する決定手段と、前記対象コンテンツの特徴的な部分を決定する特徴部分決定手段と、前記特徴部分決定手段により決定された前記特徴的な部分が前記推定露出時間内に表示されるように表示態様を制御する表示制御手段と、を備えることを特徴とする。
【手続補正４】
【補正対象書類名】明細書
【補正対象項目名】０００９
【補正方法】変更
【補正の内容】
【０００９】
この発明によれば、動的コンテンツの特徴的な部分の露出を担保しつつ、閲覧者の操作に応じて変化する表示領域の表示時間に柔軟に対応することができる。
【手続補正５】
【補正対象書類名】明細書
【補正対象項目名】００１０
【補正方法】変更
【補正の内容】
【００１０】
請求項３に記載の発明は、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の嗜好情報に基づいて、前記対象コンテンツよりも先に表示される他のコンテンツに対する当該閲覧者の興味度を算出する算出手段と、前記興味度が相対的に高い前記他のコンテンツと前記対象コンテンツとの前記ページ上の位置が近いほど、前記対象コンテンツの推定露出時間を短く決定する決定手段と、前記対象コンテンツの特徴的な部分を決定する特徴部分決定手段と、前記特徴部分決定手段により決定された前記特徴的な部分が前記推定露出時間内に表示されるように表示態様を制御する表示制御手段と、を備えることを特徴とする。
【手続補正６】
【補正対象書類名】明細書
【補正対象項目名】００１１
【補正方法】変更
【補正の内容】
【００１１】
この発明によれば、動的コンテンツの特徴的な部分の露出を担保しつつ、閲覧者の操作に応じて変化する表示領域の表示時間に柔軟に対応することができる。
【手続補正７】
【補正対象書類名】明細書
【補正対象項目名】００１２
【補正方法】変更
【補正の内容】
【００１２】
請求項４に記載の発明は、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記対象コンテンツと同時期に前記表示画面内に表示される他のコンテンツの数が多いほど、前記対象コンテンツの推定露出時間を短く決定する決定手段と、前記対象コンテンツの特徴的な部分を決定する特徴部分決定手段と、前記特徴部分決定手段により決定された前記特徴的な部分が前記推定露出時間内に表示されるように表示態様を制御する表示制御手段と、を備えることを特徴とする。
【手続補正８】
【補正対象書類名】明細書
【補正対象項目名】００１３
【補正方法】変更
【補正の内容】
【００１３】
この発明によれば、動的コンテンツの特徴的な部分の露出を担保しつつ、閲覧者の操作に応じて変化する表示領域の表示時間に柔軟に対応することができる。
【手続補正９】
【補正対象書類名】明細書
【補正対象項目名】００１４
【補正方法】変更
【補正の内容】
【００１４】
請求項５に記載の発明は、コンピュータにより実行される情報処理方法であって、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、前記閲覧者の操作に応じて前記対象コンテンツとは異なる他のコンテンツが前記表示画面内に表示された継続時間を特定することで、前記対象コンテンツの推定露出時間を決定する決定ステップと、前記対象コンテンツの特徴的な部分を決定する特徴部分決定ステップと、前記特徴部分決定ステップにより決定された前記対象コンテンツの特徴的な部分が前記推定露出時間内に表示されるように表示態様を制御する表示制御ステップと、を含むことを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
請求項６に記載の発明は、コンピュータにより実行される情報処理方法であって、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、前記閲覧者の嗜好情報に基づいて、前記対象コンテンツに対する当該閲覧者の興味度を算出する算出ステップと、前記閲覧者の前記対象コンテンツへの興味度が高いほど、前記対象コンテンツの推定露出時間を短く決定する決定ステップと、前記対象コンテンツの特徴的な部分を決定する特徴部分決定ステップと、前記特徴部分決定ステップにより決定された前記対象コンテンツの特徴的な部分が前記推定露出時間内に表示されるように表示態様を制御する表示制御ステップと、を含むことを特徴とする。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
請求項７に記載の発明は、コンピュータにより実行される情報処理方法であって、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、前記閲覧者の嗜好情報に基づいて、前記対象コンテンツよりも先に表示される他のコンテンツに対する当該閲覧者の興味度を算出する算出ステップと、前記興味度が相対的に高い前記他のコンテンツと前記対象コンテンツとの前記ページ上の位置が近いほど、前記対象コンテンツの推定露出時間を短く決定する決定ステップと、前記対象コンテンツの特徴的な部分を決定する特徴部分決定ステップと、前記特徴部分決定ステップにより決定された前記対象コンテンツの特徴的な部分が前記推定露出時間内に表示されるように表示態様を制御する表示制御ステップと、を含むことを特徴とする。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
請求項８に記載の発明は、コンピュータにより実行される情報処理方法であって、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定ステップと、前記対象コンテンツと同時期に前記表示画面内に表示される他のコンテンツの数が多いほど、前記対象コンテンツの推定露出時間を短く決定する決定ステップと、前記対象コンテンツの特徴的な部分を決定する特徴部分決定ステップと、前記特徴部分決定ステップにより決定された前記対象コンテンツの特徴的な部分が前記推定露出時間内に表示されるように表示態様を制御する表示制御ステップと、を含むことを特徴とする。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
請求項９に記載の発明は、コンピュータを、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の操作に応じて前記対象コンテンツとは異なる他のコンテンツが前記表示画面内に表示された継続時間を特定することで、前記対象コンテンツの推定露出時間を決定する決定手段と、前記対象コンテンツの特徴的な部分を決定する特徴部分決定手段と、前記特徴部分決定手段により決定された前記対象コンテンツの特徴的な部分が前記推定露出時間内に表示されるように表示態様を制御する表示制御手段として機能させることを特徴とする。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
請求項１０に記載の発明は、コンピュータを、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の嗜好情報に基づいて、前記対象コンテンツに対する当該閲覧者の興味度を算出する算出手段と、前記閲覧者の前記対象コンテンツへの興味度が高いほど、前記対象コンテンツの推定露出時間を短く決定する決定手段と、前記対象コンテンツの特徴的な部分を決定する特徴部分決定手段と、前記特徴部分決定手段により決定された前記対象コンテンツの特徴的な部分が前記推定露出時間内に表示されるように表示態様を制御する表示制御手段として機能させることを特徴とする。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】変更
【補正の内容】
【００２６】
請求項１１に記載の発明は、コンピュータを、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記閲覧者の嗜好情報に基づいて、前記対象コンテンツよりも先に表示される他のコンテンツに対する当該閲覧者の興味度を算出する算出手段と、前記興味度が相対的に高い前記他のコンテンツと前記対象コンテンツとの前記ページ上の位置が近いほど、前記対象コンテンツの推定露出時間を短く決定する決定手段と、前記対象コンテンツの特徴的な部分を決定する特徴部分決定手段と、前記特徴部分決定手段により決定された前記対象コンテンツの特徴的な部分が前記推定露出時間内に表示されるように表示態様を制御する表示制御手段として機能させることを特徴とする。
【手続補正２２】
【補正対象書類名】明細書
【補正対象項目名】００２７
【補正方法】変更
【補正の内容】
【００２７】
請求項１２に記載の発明は、コンピュータを、動的に表示が変化する動的コンテンツを表示するための表示領域が配置されたページであって、当該ページの全領域のうち一部の領域が表示画面内に表示され、且つ、前記ページの閲覧者の操作に応じて前記表示画面内に表示される領域が変移する前記ページから前記表示画面内に表示されていない動的コンテンツを対象コンテンツとして特定する特定手段と、前記対象コンテンツと同時期に前記表示画面内に表示される他のコンテンツの数が多いほど、前記対象コンテンツの推定露出時間を短く決定する決定手段と、前記対象コンテンツの特徴的な部分を決定する特徴部分決定手段と、前記特徴部分決定手段により決定された前記対象コンテンツの特徴的な部分が前記推定露出時間内に表示されるように表示態様を制御する表示制御手段として機能させることを特徴とする。
【国際調査報告】
2017163373.tif 000009
2017163373.tif 000010